【手続補正書】
【提出日】平成20年2月22日(2008.2.22)
【手続補正１】
【補正対象書類名】明細書
【補正対象項目名】発明の名称
【補正方法】変更
【補正の内容】
【発明の名称】エントランスポール
【手続補正２】
【補正対象書類名】明細書
【補正対象項目名】特許請求の範囲
【補正方法】変更
【補正の内容】
【特許請求の範囲】
【請求項１】  照明、表札、インターホン、郵便受け等の玄関先機能のうち、所定の玄関先機能が装備されるエントランスポールであって、該エントランスポールを玄関先等の床面スペースに設置するにあたり、床面にエントランスポール取付け用の脚柱体を立設し、エントランスポールを、該ポール本体に形成せしめた中空部に対して前記脚柱体を挿入して設置すべく構成したことを特徴とするエントランスポール。
【請求項２】  請求項１において、前記脚柱体にエントランスポールへの取付部を設けると共に、前記中空部には、前記取付部に取着される連結部を設けて、該連結部と前記取付部とを連結せしめたことを特徴とするエントランスポール。
【請求項３】  請求項２において、前記取付部を前記脚柱体の上面部に設け、該取付部と前記連結部材との取着作業用の開口部をエントランスポール本体に設けたことを特徴とするエントランスポール。
【請求項４】  照明、表札、インターホン、郵便受け等の玄関先機能のうち、所定の玄関先機能が装備されるエントランスポールであって、該エントランスポールへの取付体を玄関先等の床面に埋設すると共に、該取付体に形成された取付部を床の仕上げ面より露出せしめる一方、前記エントランスポールの本体には、本体内部に形成される中空部と、前記取付部に取着される連結部材と、該連結部材と前記取付部との取着作業を行う前記中空部に連通する開口部とを設けて、エントランスポール本体を、床面の仕上げ完工後においても前記開口部からの操作で着脱可能に構成したことを特徴とするエントランスポール。
【請求項５】  請求項４において、前記取付体は、前記取付部が床面上方に形成される脚柱体で構成してあることを特徴とするエントランスポール構造。
【請求項６】  請求項３乃至５の何れかにおいて、前記開口部は、新聞、郵便等の投函口に兼用されていることを特徴とするエントランスポール。
【請求項７】  請求項１乃至６の何れかにおいて、前記連結部材は、新聞、郵便受け等、エントランスポール本体に成形される新聞、郵便受け等の構成部材に兼用されていることを特徴とするエントランスポール。
【請求項８】  請求項１乃至３、請求項５乃至７の何れかにおいて、前記脚柱体は、エントランスポール本体の外面部を形成することを特徴とするエントランスポール。
【請求項９】  照明、表札、インターホン、郵便受け等の玄関先機能のうち、所定の玄関先機能が装備されるエントランスポールであって、該エントランスポールの本体を、前記玄関先機能を内装装備するための内部構成部材と、エントランスポールの外部を形成する外部構成部材とで構成し、玄関先機能は、前記内部構成部材と前記外部構成部材とを組付して形成される中空部に設けられていることを特徴とするエントランスポール。
【請求項１０】  請求項９において、前記外部構成部材は、前記内部構成部材に組付されていることを特徴とするエントランスポール。
【請求項１１】  請求項９または１０において、前記内部構成部材は、側面に立設されるブラケットと、該ブラケットの所定位置に、前記中空部を区画するよう配されるフレームより成ることを特徴とするエントランスポール。
【請求項１２】  請求項１１において、前記ブラケットは、外部構成部材に兼用されていることを特徴とするエントランスポール。
【請求項１３】  請求項９において、前記内部構成部材は、前記外部構成部材により形成される中空部に組付されていることを特徴とするエントランスポール。
【請求項１４】  請求項９乃至１３の何れかにおいて、前記外部構成部材のうち前面部に配設される外部構成部材は、装備される玄関先機能の前面部を形成することを特徴とするエントランスポール。
【請求項１５】  請求項９乃至１４の何れかにおいて、前記エントランスホール本体は、水平または垂直方向に分割可能に構成されていることを特徴とするエントランスポール。
【請求項１６】  請求項１乃至１５の何れかにおいて、前記エントランスポールは、集合住宅の共有通路スペースと、該共有通路スペースを介して繋がる複数の玄関先スペースとの間に、平面的に区画する区画線が設けられた床面に対して、該区画線の近傍で前記玄関先スペース側に設置されていることを特徴とするエントランスポール。
【手続補正３】
【補正対象書類名】明細書
【補正対象項目名】０００１
【補正方法】変更
【補正の内容】
【０００１】
【発明の属する技術分野】
本発明は、照明、表札、インターホン、郵便受け等の玄関先機能のうち、所定の玄関先機能が装備されるエントランスポールを、集合住宅等の玄関先スラブ床面に設置するエントランスポールの技術分野に属するものである。
【手続補正４】
【補正対象書類名】明細書
【補正対象項目名】０００４
【補正方法】変更
【補正の内容】
【０００４】
【発明が解決しようとする課題】
本発明は、上記の如き問題点を一掃すべく創案されたものであって、集合住宅の共有通路スペースと各戸専有の玄関先スペースとの区画を、門扉等の仕切部材で仕切ることなく立体的に指標することができ、玄関ドア付近に装備されていたインターホン等の玄関先機能を玄関先スペースの前端側に移すことができるため、専有玄関先スペースの存在を一層明確にすることができると共に、玄関ドア側の装備を減らして玄関ドア付近をシンプルに構成できる。さらに、エントランスポールを設置する場合に、各階ごと或いは各戸ごとの施工仕様に応じたデザイン提供が行える許りか、床面の施工状況に影響を受けることがなく、現場の状況に合わせた最適な納期に搬入して短期に設置することができ、かつ、設置作業や設置後のメンテナンスや本体の取換え作業も容易に行えるようになり、玄関周りの附帯工事を含めたコストの上昇を抑い得て、しかも、エントランスポール自体の中空部を有効利用することができ、全体のユニット化を可能ならしめるエントランスポールを提供することを目的とする。
【手続補正５】
【補正対象書類名】明細書
【補正対象項目名】００１２
【補正方法】変更
【補正の内容】
【００１２】
そして、エントランスポール１を設置する場合には、まず、スラブ８にコンクリートを流し込む前の段階で、台座７１をアンカー等で鉄筋８１に溶接止めすると共に、配線用パイプ（図示せず）を前記配線孔７１３に連通させてスラブ８内に配管し、コンクリートを流し込んで台座７１および配管用パイプを埋設状に固定する。そして、スラブ８が形成された後は、その上面をタイルＴ２等で仕上げると共に、仕上げ面と略面一になって露出する前記取付部７１１に前記脚柱体７２をボルト固定して立設せしめ、前記連結部材２１３の下面域に形成される中空部を利用して、エントランスポール本体２を、前記中空部に対してその下部開口より脚柱体７２を挿入して自立設置させる。しかる後、郵便受け部６の開口部を取着作業を行う開口部として利用し、前記上部側取付部７２２と前記連結部材２１３とをボルト固定し、さらに、前記配線孔７１３から引き出される配線を、前記フレーム板２１２の背面を経由してインターホンや配線孔２１１ａより照明設備３ａに接続し、背面板２２２を取付片２１０ａに、天板２２０をフレーム板２１１の上面部に順次ボルト固定して組付けし、エントランスポール１の施工が完了する。
【手続補正６】
【補正対象書類名】明細書
【補正対象項目名】００１３
【補正方法】変更
【補正の内容】
【００１３】
なお、前記脚柱体７２は、前記台座７１に先に取付けしたが、前記連結部材２１３に先に取付けし、下部側取付部７２１と台座７１を連結しても良く、また、前記連結部材２１３を別体のもので構成してエントランスポール１の下端部に組付し、前記台座７１に直接取付けても良い。この場合、背面板２２２、下部パネル２２３ｅを外した開口部がボルト止め作業を行う開口部として利用される。
また、部パネル２２３ｅを装着しない態様において脚柱体７２を用いる場合には、脚柱体７２自体に意匠性を付与するなどして外部構成部材２２として機能させ、郵便受け部６の下面域に形成された中空部に対し、脚柱体７２をスライド挿入して設置しても良い。